(57)【特許請求の範囲】
【請求項１】
表示領域内に複数の画素が設けられた表示部と、
前記画素に画像信号を伝送する画素信号線と、
前記画素信号線と電気的に接続された配線であって表示領域外で所定方向に沿って延出している配線を有する表示領域外配線部と、
前記表示領域外配線部と非接触状態で重畳する位置に設けられて長手方向が前記所定方向に交差する方向に沿うタッチ検出電極と、
前記表示部と前記表示領域外配線部との間の接続と非接続とを切り替える切替回路と
を備えるタッチ検出機能付き表示装置。
【請求項２】
静電容量は、前記画像信号を出力する回路がタッチ検出に際して前記画素信号線に出力する信号の出力時に形成される
請求項１に記載のタッチ検出機能付き表示装置。
【請求項３】
前記表示領域へのタッチ操作を検出するタッチパネルを備える
請求項１又は２に記載のタッチ検出機能付き表示装置。
【請求項４】
前記表示領域外のタッチ操作の検出と前記表示領域内のタッチ操作の検出とは異なるタイミングで行われる
請求項３に記載のタッチ検出機能付き表示装置。
【請求項５】
前記表示領域外のタッチ操作の検出と前記表示領域内のタッチ操作の検出とは並行して行われる
請求項３に記載のタッチ検出機能付き表示装置。
【請求項６】
表示領域内に複数の画素が設けられた表示部と、
前記画素に画像信号を伝送する画素信号線と、
前記画素信号線と電気的に接続された配線であって表示領域外で所定方向に沿って延出している配線を有する表示領域外配線部と、
前記表示領域外配線部と非接触状態で重畳する位置に設けられて長手方向が前記所定方向に交差する方向に沿うタッチ検出電極と、
前記表示領域へのタッチ操作を検出するタッチパネルとを備え、
前記表示領域外のタッチ操作の検出と前記表示領域内のタッチ操作の検出とは異なるタイミングで行われるタッチ検出機能付き表示装置。
【請求項７】
前記タッチ検出電極は、前記表示領域外配線部の配線との間に静電容量を形成する相互容量方式のタッチ検出電極である
請求項１から６のいずれか一項に記載のタッチ検出機能付き表示装置。
【請求項８】
駆動信号が前記表示領域外配線部に与えられ、タッチ検出信号が前記タッチ検出電極から出力される
請求項１に記載のタッチ検出機能付き表示装置。
【請求項９】
前記切替回路は、前記駆動信号が前記表示領域外配線部に与えられる場合、前記表示部と前記表示領域外配線部を非接続にする
請求項８に記載のタッチ検出機能付き表示装置。
【請求項１０】
前記切替回路は、前記画像信号が前記画素に伝送される場合、前記表示部と前記表示領域外配線部を接続する
請求項８又は９に記載のタッチ検出機能付き表示装置。
【請求項１１】
第１基板と、
前記第１基板と対向する第２基板と、
前記第１基板と前記第２基板との間に設けられる液晶層とを備え、
前記第１基板は、前記複数の画素、複数の前記画素信号線、前記切替回路、前記表示領域外配線部及び前記タッチ検出電極を含む
請求項８から１０のいずれか一項に記載のタッチ検出機能付き表示装置。
【請求項１２】
第１基板と、
前記第１基板と対向する第２基板と、
前記第１基板と前記第２基板との間に設けられる液晶層とを備え、
前記第１基板は、前記複数の画素、複数の前記画素信号線、前記切替回路及び前記表示領域外配線部を含み、
前記第２基板は、前記タッチ検出電極を含む
請求項８から１０のいずれか一項に記載のタッチ検出機能付き表示装置。
【請求項１３】
前記表示領域内に設けられ、第１方向に延出して前記第１方向と交差する第２方向に並ぶ複数の表示領域タッチ検出電極と、
前記表示領域内で前記表示領域タッチ検出電極と交差する方向に延出して前記表示領域タッチ検出電極と対向する複数の共通電極とを備え、
前記共通電極は、前記画素に前記画像信号が伝送される時に画像の表示に用いられ、前記表示領域内のタッチ検出が行われる時に前記表示領域タッチ検出電極との間に静電容量を形成する
請求項８から１２のいずれか一項に記載のタッチ検出機能付き表示装置。
【請求項１４】
前記駆動信号は、タッチ検出期間中に前記表示領域外配線部に与えられ、
前記タッチ検出期間は、複数回の一次元タッチ検出を含み、
前記複数回の一次元タッチ検出の前記タッチ検出信号を組み合わせて二次元のタッチ検出情報が生成される
請求項８から１３のいずれか一項に記載のタッチ検出機能付き表示装置。
【請求項１５】
前記画像信号及び前記駆動信号を出力する回路を備える
請求項８から１４のいずれか一項に記載のタッチ検出機能付き表示装置。
【発明の詳細な説明】
【技術分野】
【０００１】
本発明は、タッチ検出機能付き表示装置に関する。
【背景技術】
【０００２】
近年、いわゆるタッチパネルと呼ばれる、外部近接物体を検出可能なタッチ検出装置が注目されている。タッチパネルは、例えば、液晶表示装置等の表示装置上に装着又は一体化されて、タッチ検出機能付き表示装置として用いられている。タッチ検出機能付き表示装置は、表示装置に各種のボタン画像等を表示させることにより、タッチパネルを通常の機械式ボタンの代わりとして情報入力を可能としている（例えば、特許文献１）。
【０００３】
また、表示装置を備える電子機器に指紋センサが設けられることがある。指紋センサは、接触したヒトの指が有する指紋の凸凹を検出することで指紋の形状を検出する（例えば、特許文献２）。指紋センサの検出結果は、例えば、個人認証等に用いられる。
【先行技術文献】
【特許文献】
【０００４】
【特許文献１】特開２００４−３１７３５３号公報
【特許文献２】特開２００３−９０７０３号公報
【発明の概要】
【発明が解決しようとする課題】
【０００５】
従来、表示装置を備える電子機器に設けられた指紋センサは、表示装置の表示出力に係る構成から独立した構成であった。このため、表示装置が有する配線を指紋センサのようなタッチ検出に係る構成として利用することが困難であった。
【０００６】
本発明は、表示装置が有する配線をタッチ検出に係る構成として利用することができるタッチ検出機能付き表示装置を提供することを目的とする。
【課題を解決するための手段】
【０００７】
本発明の一態様は、表示領域内に複数の画素が設けられた表示部と、前記画素に画像信号を伝送する画素信号線と、前記画素信号線と電気的に接続された配線であって表示領域外で所定方向に沿って延出している配線を有する表示領域外配線部と、前記表示領域配線部と非接触状態で重畳する位置に設けられて長手方向が前記所定方向に交差する方向に沿うタッチ検出電極とを備える。
【図面の簡単な説明】
【０００８】
【図１】図１は、実施形態に係るタッチ検出機能付き表示装置の一構成例を示すブロック図である。
【図２】図２は、第１タッチ検出部の主要機能構成を示すブロック図である。
【図３】図３は、相互静電容量方式のタッチ検出の基本原理を説明するための、指が接触又は近接していない状態を表す説明図である。
【図４】図４は、図３に示す指が接触又は近接していない状態の等価回路の例を示す説明図である。
【図５】図５は、相互静電容量方式のタッチ検出の基本原理を説明するための、指が接触又は近接した状態を表す説明図である。
【図６】図６は、図５に示す指が接触又は近接した状態の等価回路の例を示す説明図である。
【図７】図７は、相互静電容量方式のタッチ検出の駆動信号及び第１タッチ検出信号の波形の一例を表す図である。
【図８】図８は、第２タッチ検出部の主要機能構成を示すブロック図である。
【図９】図９は、第２タッチ検出部による指紋検出の仕組みを示す模式図である。
【図１０】図１０は、タッチ検出機能付き表示装置のうち、特にタッチ検出に係る構成を模式的に示す平面図である。
【図１１】図１１は、タッチ検出機能付き表示装置の概略断面構造を表すＢ−Ｂ断面図である。
【図１２】図１２は、実施形態に係るタッチ検出機能付き表示部の画素配列を表す回路図である。
【図１３】図１３は、静電容量を形成する電極の一構成例を表す斜視図である。
【図１４】図１４は、画素基板に形成又は接続されている構成のうちタッチ検出に係る構成と、第２タッチ検出電極との関係を示す模式図である。
【図１５】図１５は、第２タッチ検出が行われる場合の処理の流れの一例を示すフローチャートである。
【図１６】図１６は、第２タッチ検出電極の配置例を示す図である。
【図１７】図１７は、第２タッチ検出電極の配置例を示す図である。
【図１８】図１８は、本発明に係る実施形態の変形例を示す図である。
【図１９】図１９は、本発明の実施形態２における画素基板に形成又は接続されている構成のうちタッチ検出に係る構成と、第２タッチ検出電極との関係を示す模式図である。
【図２０】図２０は、第１タッチ検出後に第２タッチ検出を行う場合の処理の流れの一例を示すフローチャートである。
【図２１】図２１は、符号分割選択方式における駆動の一例を説明する説明図である。
【図２２】図２２は、符号分割選択方式における駆動信号と複数の対象に出力される駆動信号との関係の一例を示すタイミングチャートである。
【図２３】図２３は、符号分割選択方式において同一タイミングで正符号が付される対象と逆符号が付される対象との関係の一例を示す表である。
【図２４】図２４は、第１タッチ検出に係る構成を有しない表示装置であって、第２タッチ検出に係る構成を有する表示装置の構成の一例を示す模式図である。
【図２５】図２５は、切替回路が省略された構成の一例を示す模式図である。
【図２６】図２６は、第２タッチ検出による検出領域を複数のタッチ検出領域として区別して扱う場合の一例を示す模式図である。
【図２７】図２７は、図２６に示す複数のタッチ検出領域を個別の入力部として利用した電子機器の一例を示す模式図である。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態１）
図１は、実施形態に係るタッチ検出機能付き表示装置１の一構成例を示すブロック図である。図１に示すように、タッチ検出機能付き表示装置１は、タッチ検出機能付き表示部１０と、制御部１１と、ゲートドライバ１２と、ソースドライバ１３と、駆動電極ドライバ１４と、第１タッチ検出部４０と、第２タッチ検出部６０とを備えている。タッチ検出機能付き表示装置１は、タッチ検出機能付き表示部１０がタッチ検出機能を内蔵した表示装置である。タッチ検出機能付き表示部１０は、表示素子として液晶表示素子を用いている表示パネル２０と、表示パネル２０による画像の表示領域１０１ａ（図１０参照）へのタッチ操作を検出するタッチパネル３０とを一体化した装置である。なお、タッチ検出機能付き表示部１０は、表示パネル２０の上にタッチパネル３０を装着した、いわゆるオンセルタイプの装置であってもよい。オンセルタイプの場合、表示パネル２０とタッチパネル３０とは個別の構成として設けられる。表示パネル２０は、表示素子として液晶表示素子を用いている構成に限られない。例えば、表示パネル２０は、有機ＥＬ表示パネルであってもよい。
【００１１】
表示パネル２０は、後述するように、ゲートドライバ１２から供給される走査信号Ｖｓｃａｎに従って、１水平ラインずつ順次走査して表示を行う素子である。制御部１１は、外部より供給された映像信号Ｖｄｉｓｐに基づいて、ゲートドライバ１２、ソースドライバ１３、駆動電極ドライバ１４、第１タッチ検出部４０及び第２タッチ検出部６０に対してそれぞれ制御信号を供給し、これらが互いに同期して動作するように制御する回路である。
【００１２】
ゲートドライバ１２は、制御部１１から供給される制御信号に基づいて、タッチ検出機能付き表示部１０の表示駆動の対象となる１水平ラインを順次選択する機能を有している。
【００１３】
ソースドライバ１３は、制御部１１から供給される制御信号に基づいて、タッチ検出機能付き表示部１０の、後述する各副画素ＳＰｉｘに画素信号Ｖｐｉｘを供給する回路である。
【００１４】
駆動電極ドライバ１４は、制御部１１から供給される制御信号に基づいて、タッチ検出機能付き表示部１０の、後述する駆動電極ＣＯＭＬに駆動信号Ｖｃｏｍを供給する回路である。
【００１５】
タッチパネル３０は、静電容量型タッチ検出の基本原理に基づいて動作し、相互静電容量方式によりタッチ検出動作を行い、表示領域１０１ａ（図１０等参照）を含む検出領域に対する外部の導体の接触又は近接を検出する。タッチパネル３０は、自己静電容量方式によりタッチ検出動作を行ってもよい。
【００１６】
図２は、第１タッチ検出部４０の主要機能構成を示すブロック図である。第１タッチ検出部４０は、制御部１１から供給されるクロック信号等の制御信号と、タッチパネル３０から供給される第１タッチ検出信号Ｖｄｅｔ１に基づいて、タッチパネル３０に対するタッチの有無を検出する回路である。また、第１タッチ検出部４０は、タッチがある場合においてタッチ入力が行われた座標などを求める。この第１タッチ検出部４０は、タッチ検出信号増幅部４２と、Ａ／Ｄ変換部４３と、信号処理部４４と、座標抽出部４５とを備える。検出タイミング制御部４６は、制御部１１から供給される制御信号に基づいて、Ａ／Ｄ変換部４３と、信号処理部４４と、座標抽出部４５とが同期して動作するように制御する。
【００１７】
上述のとおり、タッチパネル３０は、静電容量型タッチ検出の基本原理に基づいて動作する。ここで、図３から図７を参照して、本実施形態のタッチパネル３０の相互静電容量方式によるタッチ検出の基本原理について説明する。図３は、相互静電容量方式のタッチ検出の基本原理を説明するための、指が接触又は近接していない状態を表す説明図である。図４は、図３に示す指が接触又は近接していない状態の等価回路の例を示す説明図である。図５は、相互静電容量方式のタッチ検出の基本原理を説明するための、指が接触又は近接した状態を表す説明図である。図６は、図５に示す指が接触又は近接した状態の等価回路の例を示す説明図である。図７は、駆動信号Ｖｃｏｍ及び第１タッチ検出信号Ｖｄｅｔ１の波形の一例を表す図である。なお、以下の説明では、指が接触又は近接する場合を説明するが、指に限られず、例えばスタイラスペン等の導体を含む物体であってもよい。なお、駆動信号Ｖｃｏｍは、駆動電極ＣＯＭＬに出力される信号を示す記載であって、特定の電圧による信号をさす記載でない。
【００１８】
例えば、図３に示すように、容量素子Ｃ１は、誘電体Ｄを挟んで互いに対向配置された一対の電極、駆動電極Ｅ１及びタッチ検出電極Ｅ２を備えている。図４に示すように、容量素子Ｃ１は、その一端が交流信号源（駆動信号源）Ｓに接続され、他端は電圧検出器ＤＥＴに接続される。電圧検出器ＤＥＴは、例えば図２に示すタッチ検出信号増幅部４２に含まれる積分回路である。
【００１９】
交流信号源Ｓから駆動電極Ｅ１（容量素子Ｃ１の一端）に所定の周波数（例えば数ｋＨｚ〜数百ｋＨｚ程度）の交流矩形波Ｓｇが印加されると、タッチ検出電極Ｅ２（容量素子Ｃ１の他端）側に接続された電圧検出器ＤＥＴを介して、図７に示すような出力波形（第１タッチ検出信号Ｖｄｅｔ１）が現れる。なお、この交流矩形波Ｓｇは、例えば、駆動電極ドライバ１４から入力される駆動信号Ｖｃｏｍに相当する。
【００２０】
指が接触又は近接していない状態（非接触状態）では、図３及び図４に示すように、容量素子Ｃ１に対する充放電に伴って、容量素子Ｃ１の容量値に応じた電流Ｉ０が流れる。図４に示す電圧検出器ＤＥＴは、交流矩形波Ｓｇに応じた電流Ｉ０の変動を電圧の変動（実線の波形Ｖ０（図７参照））に変換する。
【００２１】
一方、指が接触又は近接した状態（接触状態）では、図５に示すように、指によって形成される静電容量Ｃ２が、タッチ検出電極Ｅ２と接触している又は近傍にあることにより、駆動電極Ｅ１及びタッチ検出電極Ｅ２の間にあるフリンジ分の静電容量が遮られる。このため、容量素子Ｃ１は、図６に示すように、非接触状態での容量値よりも容量値の小さい容量素子Ｃ１’として作用する。そして、図６に示す等価回路でみると、容量素子Ｃ１’に電流Ｉ１が流れる。図７に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から接触又は近接する導体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００２２】
図１に示すタッチパネル３０は、駆動電極ドライバ１４から供給される駆動信号Ｖｃｏｍに従って、１検出ブロックずつ順次走査して、相互静電容量方式によるタッチ検出を行う。
【００２３】
タッチパネル３０は、後述する複数の第１タッチ検出電極ＴＤＬから、図４又は図６に示す電圧検出器ＤＥＴを介して、検出ブロック毎に第１タッチ検出信号Ｖｄｅｔ１を出力する。第１タッチ検出信号Ｖｄｅｔ１は、第１タッチ検出部４０のタッチ検出信号増幅部４２に供給される。
【００２４】
タッチ検出信号増幅部４２は、タッチパネル３０から供給される第１タッチ検出信号Ｖｄｅｔ１を増幅する。なお、タッチ検出信号増幅部４２は、第１タッチ検出信号Ｖｄｅｔ１に含まれる高い周波数成分（ノイズ成分）を除去して出力する低域通過アナログフィルタであるアナログＬＰＦ（Ｌｏｗ  Ｐａｓｓ  Ｆｉｌｔｅｒ）を備えていてもよい。
【００２５】
Ａ／Ｄ変換部４３は、駆動信号Ｖｃｏｍに同期したタイミングで、タッチ検出信号増幅部４２から出力されるアナログ信号をそれぞれサンプリングしてデジタル信号に変換する。
【００２６】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、タッチパネル３０に対するタッチの有無を検出する論理回路である。信号処理部４４は、指による検出信号の差分のみ取り出す処理を行う。この指による差分の信号は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の信号を所定のしきい値電圧と比較し、このしきい値電圧未満であれば、外部近接物体が非接触状態であると判断する。一方、信号処理部４４は、検出した指による差分の信号を所定のしきい値電圧と比較し、しきい値電圧以上であれば、外部近接物体の接触状態と判断する。このようにして、第１タッチ検出部４０はタッチ検出が可能となる。このように、第１タッチ検出部４０は、第１タッチ検出電極ＴＤＬにおける静電容量の変化に基づいてタッチ操作を検出する。
【００２７】
座標抽出部４５は、信号処理部４４においてタッチが検出されたときに、そのタッチパネル座標を求める論理回路である。座標抽出部４５は、タッチパネル座標を検出信号出力Ｖｏｕｔ１として出力する。以上のように、本実施形態のタッチパネル３０は、相互静電容量方式によるタッチ検出の基本原理に基づいて、指などの導体が接触又は近接する位置のタッチパネル座標を検出することができる。
【００２８】
図８は、第２タッチ検出部６０の主要機能構成を示すブロック図である。第２タッチ検出部６０は、制御部１１から供給されるクロック信号等の制御信号と、タッチパネル３０から供給される第２タッチ検出信号Ｖｄｅｔ２に基づいて、第１タッチ検出部４０よりもより細かいピッチでタッチの有無を検出する回路である。第２タッチ検出部６０は、例えば、タッチ検出信号増幅部６２と、Ａ／Ｄ変換部６３と、信号処理部６４と、座標抽出部６５と、検出タイミング制御部６６と、合成部６７とを備える。タッチ検出信号増幅部６２、Ａ／Ｄ変換部６３、信号処理部６４、座標抽出部６５、検出タイミング制御部６６の機能は、タッチ検出信号増幅部４２、Ａ／Ｄ変換部４３、信号処理部４４、座標抽出部４５、検出タイミング制御部４６の機能と同様である。第２タッチ検出部６０と第２タッチ検出電極ＳＴＤＬ（図１４等参照）との関係は、第１タッチ検出部４０と第１タッチ検出電極ＴＤＬとの関係と同様である。第２タッチ検出電極ＳＴＤＬからの第２タッチ検出信号Ｖｄｅｔ２は、第２タッチ検出部６０のタッチ検出信号増幅部６２に供給される。
【００２９】
図９は、第２タッチ検出部６０による指紋検出の仕組みを示す模式図である。合成部６７は、例えば、第２タッチ検出電極ＳＴＤＬを用いた複数回のタッチ検出によって得られた複数回分の第２タッチ検出信号Ｖｄｅｔ２を組み合わせて、第２タッチ検出電極ＳＴＤＬに対するタッチ操作を行っている外部近接物体の形状を示す２次元情報を生成する。具体的には、合成部６７は、例えば外部近接物体（例えば、ヒトの指等）が有する凸凹によって生じるカバー部材５（図１１参照）への接触の度合いの差に応じて現れる検出強度の差異を色の濃淡（例えば、グレースケール）として表す２次元の画像を生成する。合成部６７を有する第２タッチ検出部６０の出力Ｖｏｕｔ２は、例えば、上記で説明した２次元情報の出力である。
【００３０】
本実施形態では、１つの第２タッチ検出電極ＳＴＤＬの延設方向に交差する方向にヒトの指が相対的に移動するスイープ動作が行われることを前提としている。スイープ動作が行われると、図９に示すように、後述する複数の駆動電極ＳＣＯＭＬと、１つの第２タッチ検出電極ＳＴＤＬとの交差点の各々が個別の検出ブロックとして機能して指の指紋による凹凸に応じた検出結果を出力する。スイープ動作による指の移動により各時刻（図９に示す符号Ｔ１，Ｔ２，Ｔ３，…）で第２タッチ検出電極ＳＴＤＬと近接する指の位置が変わることから、１つの第２タッチ検出電極ＳＴＤＬにより指を２次元的に走査することができる。合成部６７は、係る一次元の検出結果を時系列（図９における符号Ｔ１，Ｔ２，Ｔ３，…）に並べて組み合わせることで、２次元の画像を得る。
【００３１】
図９では、分かりやすさを目的としてタッチの有無のみを示す２階調検出を例示しているが、実際には各ブロックにおけるタッチ検出結果は多階調とすることができる。また、図９では、検出されている外部近接物体が二重丸状の突起を有する物体であるが、外部近接物体が指紋を有するヒトの指である場合、２次元情報として指紋が現れることになる。また、合成部６７の機能は、第２タッチ検出部６０以外の構成が有していてもよい。例えば、第２タッチ検出部６０の出力Ｖｏｕｔ２を座標抽出部６５の出力とし、係る出力Ｖｏｕｔ２に基づいて外部の構成が２次元情報を生成するようにしてもよい。また、２次元情報の生成に係る構成は、回路等のハードウェアであってもよいし、所謂ソフトウェア処理によってもよい。
【００３２】
次に、タッチ検出機能付き表示装置１の構成例を詳細に説明する。図１０は、タッチ検出機能付き表示装置１のうち、特にタッチ検出に係る構成を模式的に示す平面図である。図１１は、タッチ検出機能付き表示装置１の概略断面構造を表すＢ−Ｂ断面図である。図１２は、実施形態に係るタッチ検出機能付き表示部１０の画素配列を表す回路図である。タッチ検出機能付き表示部１０の表示領域１０１ａには、図１２に示すように、表示パネル２０の構成として、表示領域１０１ａ内に複数の画素が設けられている。以下、表示部と記載した場合、表示パネル２０の構成のうち、特に表示領域１０１ａ内に形成されている構成をさす。
【００３３】
図１１に示すように、タッチ検出機能付き表示装置１は、画素基板２と、対向基板３とを有する。画素基板２と対向基板３とは重畳して配置される。タッチ検出機能付き表示装置１は、例えば、図１０に示すように、画像を表示させる表示領域１０１ａと、表示領域１０１ａの外側の額縁領域１０１ｂとを有する。表示領域１０１ａは、例えば、長辺と短辺とを有する矩形状であるが、表示領域１０１ａの形状は適宜変更可能である。額縁領域１０１ｂは、表示領域１０１ａの縁の一部又は全部を囲う枠状となっている。
【００３４】
表示領域１０１ａには、複数の駆動電極ＣＯＭＬ及び複数の第１タッチ検出電極ＴＤＬが設けられている。複数の駆動電極ＣＯＭＬは、表示領域１０１ａの所定の一方向に延在するとともに、当該一方向に直交する方向に並設されている。具体的には、複数の駆動電極ＣＯＭＬは、例えば、矩形状の表示領域１０１ａの一辺に沿う方向に延在するとともに、当該一辺に直交する他辺に沿う方向に並設されている。第１タッチ検出電極ＴＤＬは、例えば、複数の駆動電極ＣＯＭＬが延在する所定の一方向に直交する方向に延在するとともに、当該一方向に並設されている。なお、第１タッチ検出電極ＴＤＬの延設方向をＸ方向とする。また、複数の駆動電極ＣＯＭＬの延設方向をＹ方向とする。また、Ｘ方向及びＹ方向に直交する方向をＺ方向とする。
【００３５】
画素基板２は、回路基板としてのＴＦＴ基板２１と、このＴＦＴ基板２１の上方にマトリックス状に配設された複数の画素電極２２と、ＴＦＴ基板２１と画素電極２２との間に設けられた複数の駆動電極ＣＯＭＬと、画素電極２２と駆動電極ＣＯＭＬとを絶縁する絶縁層２４と、を含む。ＴＦＴ基板２１の下側には、接着層を介して偏光板３５Ｂが設けられていてもよい。
【００３６】
対向基板３は、ガラス基板３１と、このガラス基板３１の一方の面に形成されたカラーフィルタ３２とを含む。ガラス基板３１の他方の面には、タッチパネル３０の検出電極である第１タッチ検出電極ＴＤＬが設けられている。さらに、この第１タッチ検出電極ＴＤＬの上方には、偏光板３５Ａが設けられている。
【００３７】
ＴＦＴ基板２１とガラス基板３１とは、スペーサＳＰ（図１６、図１７参照）を介して所定の間隔を設けて対向して配置される。ＴＦＴ基板２１とガラス基板３１との間の空間に液晶層６が設けられる。液晶層６は、電界の状態に応じてそこを通過する光を変調するものであり、例えば、ＦＦＳ（フリンジフィールドスイッチング）を含むＩＰＳ（インプレーンスイッチング）等の横電界モードの液晶が用いられる。なお、図１１に示す液晶層６と画素基板２との間、及び液晶層６と対向基板３との間には、それぞれ配向膜が配設されてもよい。
【００３８】
ＴＦＴ基板２１には、図１２に示す各副画素ＳＰｉｘの薄膜トランジスタ素子（以下、ＴＦＴ素子）Ｔｒ、各画素電極２２に画素信号Ｖｐｉｘを供給する画素信号線ＳＧＬ、各ＴＦＴ素子Ｔｒを駆動する駆動信号Ｖｃｏｍを供給する走査信号線ＧＣＬ等の配線が形成されている。画素信号線ＳＧＬ及び走査信号線ＧＣＬは、ＴＦＴ基板２１の表面と平行な平面に延在する。ここで、画素信号線ＳＧＬは、表示領域１０１ａ内に設けられた複数の画素（副画素ＳＰｉｘ）に画像信号Ｖｐｉｘを伝送する配線として機能している。
【００３９】
図１２に示す表示パネル２０は、マトリックス状に配列された複数の副画素ＳＰｉｘを有している。副画素ＳＰｉｘは、それぞれＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Ｍｅｔａｌ  Ｏｘｉｄｅ  Ｓｅｍｉｃｏｎｄｕｃｔｏｒ）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００４０】
副画素ＳＰｉｘは、走査信号線ＧＣＬにより、表示パネル２０の同じ行に属する他の副画素ＳＰｉｘと互いに接続されている。走査信号線ＧＣＬは、ゲートドライバ１２（図１参照）と接続され、ゲートドライバ１２より走査信号Ｖｓｃａｎが供給される。また、副画素ＳＰｉｘは、画素信号線ＳＧＬにより、表示パネル２０の同じ列に属する他の副画素ＳＰｉｘと互いに接続されている。画素信号線ＳＧＬは、ソースドライバ１３（図１参照）と接続され、ソースドライバ１３より画素信号Ｖｐｉｘが供給される。さらに、副画素ＳＰｉｘは、駆動電極ＣＯＭＬにより、同じ列に属する他の副画素ＳＰｉｘと互いに接続されている。駆動電極ＣＯＭＬは、駆動電極ドライバ１４（図１参照）と接続され、駆動電極ドライバ１４より駆動信号Ｖｃｏｍが供給される。つまり、この例では、同じ一列に属する複数の副画素ＳＰｉｘが一本の駆動電極ＣＯＭＬを共有するようになっている。本実施形態の駆動電極ＣＯＭＬは、画素信号線ＳＧＬの延出方向と平行に延び、走査信号線ＧＣＬの延出方向と交差する方向に延びる。駆動電極ＣＯＭＬは、これに限定されず、例えば走査信号線ＧＣＬと平行な方向に延びていてもよい。
【００４１】
図１に示すゲートドライバ１２は、走査信号線ＧＣＬを順次走査するように駆動する。ゲートドライバ１２は、走査信号線ＧＣＬを介して、走査信号Ｖｓｃａｎ（図１参照）を副画素ＳＰｉｘのＴＦＴ素子Ｔｒのゲートに印加することにより、副画素ＳＰｉｘのうちの１行（１水平ライン）を表示駆動の対象として順次選択する。また、タッチ検出機能付き表示装置１は、１水平ラインに属する副画素ＳＰｉｘに対して、ソースドライバ１３は、図１２に示す画素信号線ＳＧＬを介して、画素信号Ｖｐｉｘを、選択された１水平ラインを構成する副画素ＳＰｉｘに供給する。そして、これらの副画素ＳＰｉｘでは、供給される画素信号Ｖｐｉｘに応じて１水平ラインずつ表示が行われるようになっている。この表示動作を行う際、駆動電極ドライバ１４は、駆動電極ＣＯＭＬに画素駆動用の共通電位を供給する。
【００４２】
図１１に示すカラーフィルタ３２は、例えば赤（Ｒ）、緑（Ｇ）、青（Ｂ）の３色に着色されたカラーフィルタの色領域が周期的に配列されていてもよい。上述した図１２に示す各副画素ＳＰｉｘに、Ｒ、Ｇ、Ｂの３色の色領域が１組として対応付けられ、３色の色領域に対応する副画素ＳＰｉｘを１組として単位画素Ｐｉｘが構成される。図１１に示すように、カラーフィルタ３２は、ＴＦＴ基板２１と垂直な方向において、液晶層６と対向する。なお、カラーフィルタ３２は、異なる色に着色されていれば、他の色の組み合わせであってもよい。また、カラーフィルタ３２は、３色の組み合わせに限定されず、４色以上の組み合わせであってもよい。
【００４３】
駆動電極ＣＯＭＬは、表示パネル２０の複数の画素電極２２に共通の電位を与える共通電極として機能するとともに、タッチパネル３０の相互静電容量方式によるタッチ検出を行う際に駆動信号が出力される電極としても機能する。また、駆動電極ＣＯＭＬは、タッチパネル３０の自己静電容量方式によるタッチ検出を行う際の検出電極として機能してもよい。
【００４４】
図１３は、静電容量を形成する電極の一構成例を表す斜視図である。タッチパネル３０は、画素基板２に設けられた駆動電極ＣＯＭＬと、対向基板３に設けられた第１タッチ検出電極ＴＤＬにより構成されている。駆動電極ＣＯＭＬは、Ｙ方向に延在する複数のストライプ状の電極パターンを含む。第１タッチ検出電極ＴＤＬは、駆動電極ＣＯＭＬの電極パターンの延在方向と交差する方向に延びる複数の電極パターンを含む。そして、第１タッチ検出電極ＴＤＬは、ＴＦＴ基板２１（図１１参照）の表面に対する垂直な方向において、駆動電極ＣＯＭＬと対向している。第１タッチ検出電極ＴＤＬの各電極パターンは、第１タッチ検出部４０のタッチ検出信号増幅部４２の入力にそれぞれ接続される（図１参照）。駆動電極ＣＯＭＬの各電極パターンと第１タッチ検出電極ＴＤＬの各電極パターンとの交差部分に、それぞれ静電容量が形成される。
【００４５】
第１タッチ検出電極ＴＤＬ、駆動電極ＣＯＭＬ及び第２タッチ検出電極ＳＴＤＬは、例えば、ＩＴＯ（Ｉｎｄｉｕｍ  Ｔｉｎ  Ｏｘｉｄｅ）等の透光性を有する導電性材料が用いられる。なお、第１タッチ検出電極ＴＤＬ、駆動電極ＣＯＭＬ等、タッチ検出に用いられる電極の形状は、ストライプ状に複数に分割される形状に限られない。例えば、第１タッチ検出電極ＴＤＬ及び駆動電極ＣＯＭＬは、櫛歯形状等であってもよい。あるいは第１タッチ検出電極ＴＤＬ及び駆動電極ＣＯＭＬは、複数に分割されていればよく、駆動電極ＣＯＭＬを分割するスリットの形状は直線であっても、曲線であってもよい。第２タッチ検出電極ＳＴＤＬ及び駆動電極ＳＣＯＭＬの形状についても、同様である。
【００４６】
タッチパネル３０では、相互静電容量方式のタッチ検出動作を行う際、駆動電極ドライバ１４が駆動電極ブロックとして時分割的に順次走査するように駆動することにより、駆動電極ＣＯＭＬの１検出ブロックが順次選択される。そして、第１タッチ検出電極ＴＤＬから第１タッチ検出信号Ｖｄｅｔ１が出力されることにより、１検出ブロックのタッチ検出が行われるようになっている。つまり、駆動電極ブロックは、上述した相互静電容量方式のタッチ検出の基本原理における駆動電極Ｅ１に対応し、第１タッチ検出電極ＴＤＬは、タッチ検出電極Ｅ２に対応するものであり、タッチパネル３０はこの基本原理に従ってタッチ入力を検出するようになっている。図１３に示すように、タッチパネル３０において、互いに交差した第１タッチ検出電極ＴＤＬ及び駆動電極ＣＯＭＬは、静電容量式タッチセンサをマトリックス状に構成している。よって、タッチパネル３０のタッチ検出面全体に亘って走査することにより、外部からの導体の接触又は近接が生じた位置の検出が可能となっている。
【００４７】
タッチパネル３０のタッチ検出面（例えば、被覆部材である透光性のカバー部材５における対向基板３の反対側の面）は、表示パネル２０による表示出力が行われる表示面でもある。よって、表示パネル２０による表示出力が行われる表示領域１０１ａと、タッチパネル３０によるタッチ検出が行われる検出領域とは重複している。表示領域１０１ａと検出領域との重畳の度合いは任意であるが、例えば、検出領域が表示領域１０１ａを全てカバーすることが好ましい一形態として挙げられる。
【００４８】
このように、タッチパネル３０は、検出領域に並設された複数の駆動電極ＣＯＭＬと、複数の駆動電極ＣＯＭＬと非接触の位置であって駆動信号Ｖｃｏｍが出力された駆動電極ＣＯＭＬと静電容量を形成する位置で検出領域に並設された複数の第１タッチ検出電極ＴＤＬとを有し、静電容量の変化に基づいて検出領域に対するタッチ操作を検出するタッチ検出装置として機能する。
【００４９】
上記の原理による表示領域１０１ａ内におけるタッチ検出に係る駆動電極ＣＯＭＬの駆動は、駆動電極ドライバ１４の動作による。具体的には、画素基板２には、駆動電極ドライバ１４を構成するスイッチ回路１１０及びシフトレジスタ１３０が形成されている。
【００５０】
図１４は、画素基板２に形成又は接続されている構成のうちタッチ検出に係る構成と、第２タッチ検出電極ＳＴＤＬとの関係を示す模式図である。スイッチ回路１１０は、電位線ＴＳＶＣＯＭ又は電位線ＴＰＬのいずれか一方を切替可能に駆動電極ＣＯＭＬに接続する回路である。この切替によって駆動電極ＣＯＭＬに対する駆動信号Ｖｃｏｍの出力の有無が切り替えられる。具体的には、電位線ＴＳＶＣＯＭが接続されている場合、駆動電極ＣＯＭＬには駆動信号Ｖｃｏｍが印加される。すなわち、本実施形態の駆動電極ドライバ１４は、スイッチ回路１１０によって電位線ＴＳＶＣＯＭと駆動電極ＣＯＭＬとを接続状態にすることで駆動信号Ｖｃｏｍを駆動電極ＣＯＭＬに出力する。一方、電位線ＴＰＬが接続されている場合、駆動電極ＣＯＭＬには駆動信号Ｖｃｏｍが印加されない。スイッチ回路１１０は、複数の駆動電極ＣＯＭＬの各々について個別に駆動信号Ｖｃｏｍの出力の有無の切替が可能となるよう設けられている。
【００５１】
シフトレジスタ１３０は、駆動電極Ｖｃｏｍが出力される駆動電極ＣＯＭＬをシフトさせる。具体的には、シフトレジスタ１３０は、例えば、駆動信号が出力される駆動電極ＣＯＭＬを、複数の駆動電極ＣＯＭＬが並ぶ方向の一端側から他端側に向かって順次遷移させるようにスイッチ回路１１０を動作させる。シフトレジスタ１３０の動作制御は、例えばＤＤＩＣ（Display  Driver  Integrated  Circuit）８０によって行われる。
【００５２】
ＤＤＩＣ８０は、例えば、制御部１１、ゲートドライバ１２及びソースドライバ１３に係る機能が実装されている。また、ＤＤＩＣ８０には画素基板２の反対側に接続されたＦＰＣ７０を介して外部からの信号（例えば、映像信号Ｖｄｉｓｐ、指紋検出実施信号Ｖｔｏｕｃｈ等）が伝送される。
【００５３】
また、本実施形態では、ＤＤＩＣ８０は、タッチ検出に係る各種の制御を行う。具体的には、ＤＤＩＣ８０は、例えば表示領域１０１ａにおけるタッチ検出（第１タッチ検出）に際して駆動電極ドライバ１４を動作させて駆動電極ＣＯＭＬに駆動信号Ｖｃｏｍを出力させるとともに、第１タッチ検出部４０を動作させる。また、ＤＤＩＣ８０は、例えば指紋検出実施信号Ｖｔｏｕｃｈに応じて行われるタッチ検出（第２タッチ検出）に際して、後述する表示領域外配線部３００への駆動用信号の出力を行うとともに、第２タッチ検出部６０を動作させる。
【００５４】
実施形態では、例えば図１０に示すように、第１タッチ検出部４０及び第２タッチ検出部６０が所謂ＣＯＦ（Chip  On  Flexible）方式でＦＰＣ７０に設けられているが、これはタッチ検出機能付き表示装置１が有する各種の集積回路の具体的配置例であってこれに限られるものでなく、適宜変更可能である。
【００５５】
次に、表示領域外の配線と第２タッチ検出電極ＳＴＤＬとの関係に係る説明を行う。ＤＤＩＣ８０は、表示領域外配線部３００及び切替回路１５０を介して画素基板２上の各構成と電気的に接続されている。
【００５６】
表示領域外配線部３００は、画素信号線ＳＧＬと電気的に接続された配線であって表示領域１０１ａ外に延出している配線を有する。具体的には、表示領域外配線部３００は、例えばソースドライバ１３として機能するＤＤＩＣ８０と画素信号線ＳＧＬとを接続する配線である。表示領域外配線部３００は、複数の画素信号線ＳＧＬの数に応じた数の配線を有している。より具体的には、表示領域外配線部３００は、例えば、画素基板配線部３１０と延出部３２０とを有する。画素基板配線部３１０は、画素基板２上であって、表示パネル２０の表示領域１０１ａ外に形成された複数の配線を有する。当該配線は、例えば画素信号線ＳＧＬと同一の層に形成されているメタル配線であり、一端側が切替回路１５０を介して画素信号線ＳＧＬと接続されている。延出部３２０は、例えばＦＰＣ等の配線である。延出部３２０は、一端側が画素基板配線部３１０の他端側と接続され、他端側がＤＤＩＣ８０と接続されることで、画素基板配線部３１０によって表示領域１０１ａ外に延設されている画素信号線ＳＧＬの入力端とＤＤＩＣ８０の出力端とを接続している。
【００５７】
なお、本実施形態の表示領域外配線部３００は、画素基板配線部３１０と延出部３２０とを有しているが、これは表示領域外配線部３００の具体的な一形態であってこれに限られるものでない。表示領域外配線部３００は、例えば画素基板配線部３１０のみを有していてもよい。この場合、ＤＤＩＣ８０は、例えばＣＯＧ（Chip  On  Glass）等の実装方法で画素基板２上に形成され、画素基板配線部３１０の他端側と接続される。
【００５８】
また、図１４等では、延出部３２０の一端側と他端側の幅が異なっているが、これは画素基板配線部３１０の他端側が形成されている領域の幅（例えば、所定の一方向に直交する方向に沿う幅）とＤＤＩＣ８０の幅とが異なるため、画素基板配線部３１０の他端側からＤＤＩＣ８０に向かう方向に延出部３２０の配線が収束するように形成されていることを示しているに過ぎない。図１４等において図示されている延出部３２０のうち、他端側がＤＤＩＣ８０側に接続されていないように見える斜線部は、実際には画素基板形成部の他端側とＤＤＩＣ８０とを電気的に接続する配線が形成されている部分であり、当該斜線部が配線の他端側の非接続を示すものでない。
【００５９】
切替回路１５０は、表示部と表示領域外配線部３００との接続と切断とを切り替える。具体的には、切替回路１５０は、例えば、画素基板配線部３１０の一端側と、画素信号線ＳＧＬの入力端との間に介在するよう設けられたスイッチを有する。切替回路１５０は、スイッチのＯＮ／ＯＦＦ動作に応じて画素基板配線部３１０の一端側と画素信号線ＳＧＬの入力端との接続（ＯＮ）と切断（ＯＦＦ）とを切り替えるように動作する。切替回路１５０のＯＮ／ＯＦＦ動作は、例えばＤＤＩＣ８０が出力する切替用の信号に応じるが、これは切替回路１５０の動作制御の一形態であってこれに限られるものでなく、適宜変更可能である。
【００６０】
第２タッチ検出電極ＳＴＤＬは、表示領域外配線部３００との間に静電容量を形成することが可能な位置に設けられる。具体的には、第２タッチ検出電極ＳＴＤＬは、例えば図１１に示すように、カバー部材５の偏光板３５Ａ側に形成されて、後述する画素基板配線部３１０への駆動用信号の印加に応じて画素基板２上に形成された画素基板配線部３１０との間に静電容量を形成する。当該静電容量は、第２タッチ検出電極ＳＴＤＬが形成された位置付近に対するタッチ操作に応じて変化する。当該静電容量に基づいた第２タッチ検出電極ＳＴＤＬからの出力は、第２タッチ検出における第２タッチ検出信号Ｖｄｅｔ２として機能する。
【００６１】
本実施形態では、画素基板配線部３１０が有する複数の配線は、所定の一方向に沿っている。また、第２タッチ検出電極ＳＴＤＬは、長手方向が所定の一方向に直交する方向に沿う電極として設けられており、本実施形態の画素基板配線部３１０が有する複数の配線とねじれの位置の関係になっている。本実施形態では、第２タッチ検出電極ＳＴＤＬの長手方向の幅は、画素基板配線部３１０が有する複数の配線が形成されている表示領域１０１ａ外の領域の幅（所定の一方向に直交する方向の幅）のうち一部の配線が形成されている領域に対応する幅を有しているが、第２タッチ検出電極ＳＴＤＬは、画素基板配線部３１０が有する複数の配線の全てをカバーする幅を有していてもよい。
【００６２】
表示領域外配線部３００は、第２タッチ検出における駆動電極ＳＣＯＭＬ（図９参照）として機能する。具体的には、例えば、ＤＤＩＣ８０は、指紋検出実施信号Ｖｔｏｕｃｈに応じて、表示領域外配線部３００に駆動用信号を出力する。指紋検出実施信号Ｖｔｏｕｃｈは、例えば、第２タッチ検出の実施に係るトリガーとなる信号が得られた場合に外部から入力される。具体例を挙げると、タッチ検出機能付き表示装置１が接続されている外部の機器に対してＤＤＩＣ８０が第１タッチ検出信号Ｖｄｅｔ１を伝送すると、第１タッチ検出信号Ｖｄｅｔ１が示すタッチ検出結果に基づいて、当該外部の機器が指紋検出実施信号Ｖｔｏｕｃｈをタッチ検出機能付き表示装置１に出力する。これによって、第２タッチ検出が行われることになる。ＤＤＩＣ８０から表示領域外配線部３００に出力される駆動用信号は、第２タッチ検出部６０によるタッチ検出、すなわち、第２タッチ検出電極ＳＴＤＬと表示領域外配線部３００（例えば、画素基板配線部３１０）との間に形成される静電容量の変化に基づいたタッチ検出における駆動信号Ｖｃｏｍとして機能する。第２タッチ検出部６０は、当該静電容量に基づいて第２タッチ検出電極ＳＴＤＬから出力される第２タッチ検出信号Ｖｄｅｔ２に基づいてタッチ検出を行う。なお、ＤＤＩＣ８０は、ソースドライバ１３として機能する場合、表示領域外配線部３００、切替回路１５０及び画素信号線ＳＧＬを介して各副画素ＳＰｉｘに画素信号Ｖｐｉｘを出力する。このように、第２タッチ検出部６０は、表示領域外配線部３００とタッチ検出電極との間に形成された静電容量に基づいてタッチ検出を行うタッチ検出部として機能する。また、第２タッチ検出に際して形成される静電容量は、画像信号Ｖｐｉｘを出力する機能を有する回路（ＤＤＩＣ８０）がタッチ検出（第２タッチ検出）に際して信号線に出力するタッチ検出信号（駆動用信号）の出力時に形成される。
【００６３】
図１５は、第２タッチ検出が行われる場合の処理の流れの一例を示すフローチャートである。図１５は、例えば、第２タッチ検出を用いた指紋検出がタッチ検出機能付き表示装置１を待機状態から表示出力動作状態に移行させる待機解除入力用途に採用された場合の処理の流れを示すフローチャートである。この場合、タッチ検出機能付き表示装置１を待機状態にさせることに伴い、外部から指紋検出実施信号Ｖｔｏｕｃｈが入力される。表示出力動作状態は、例えば第１タッチ検出を実施可能な状態とされる。
【００６４】
ＤＤＩＣ８０は、第２タッチ検出を実施可能な状態でタッチ検出機能付き表示装置１を待機させる（ステップＳ１）。この状態で第２タッチ検出電極ＳＴＤＬ上で指のスイープ動作が開始されると、第２タッチ検出電極ＳＴＤＬから指の近接又は接触を示す第２タッチ検出信号Ｖｄｅｔ２が出力される。所定時刻毎に第２タッチ検出信号Ｖｄｅｔ２を取得することで（ステップＳ２）、第２タッチ検出結果（例えば、図９参照）が示す指紋の凸凹が得られる（ステップＳ３）。その後、ＤＤＩＣ８０は、タッチ検出機能付き表示装置１を第１タッチ検出を実施可能な状態に移行させる（ステップＳ４）。
【００６５】
本実施形態では、ＤＤＩＣ８０は、表示パネル２０の動作時に切替回路１５０をＯＮにし、第２タッチ検出時に切替回路１５０をＯＦＦにする。すなわち、ＤＤＩＣ８０は、画素信号Ｖｐｉｘの出力に際して切替回路１５０をＯＮにして表示領域外配線部３００と画素信号線ＳＧＬとを接続する。これによって、画素信号Ｖｐｉｘが各副画素ＳＰｉｘに伝送される。一方、ＤＤＩＣ８０は、第２タッチ検出に際して切替回路１５０をＯＦＦにして表示領域外配線部３００と画素信号線ＳＧＬとを切断する。また、ＤＤＩＣ８０は、第１タッチ検出時に切替回路１５０をＯＦＦにするようにしてもよい。これによって、TFT素子Ｔｒのソース−ドレイン間のカップリング容量によるタッチ検出への影響をより確実に抑制することができる。
【００６６】
なお、本実施形態では、表示領域外配線部３００のうち画素基板配線部３１０を駆動電極ＳＣＯＭＬとして用いているが、延出部３２０を駆動電極ＳＣＯＭＬとして用いてもよい。延出部３２０を駆動電極ＳＣＯＭＬとして用いる場合、タッチ検出機能付き表示装置１は、第２タッチ検出電極ＳＴＤＬに対する延出部３２０の位置が固定されている等、第２タッチ検出電極ＳＴＤＬと延出部３２０の配線との間に形成される静電容量が安定しやすくなるよう配慮された構成となっていることが好ましい。また、第２タッチ検出電極ＳＴＤＬの位置は、表示領域外配線部３００と静電容量が形成される位置であればよく、具体的な位置は適宜変更可能である。
【００６７】
図１６及び図１７は、第２タッチ検出電極ＳＴＤＬの配置例を示す図である。なお、図１６及び図１７は、表示領域外配線部３００及びＤＤＩＣ８０が画素基板２上に実装されている場合の構成例を示している。すなわち、図１６及び図１７では、表示領域外配線部３００は、全て画素基板配線部３１０である。第２タッチ検出電極ＳＴＤＬは、図１１及び図１６に示すようにカバー部材５の偏光板３５Ａ側に形成されていてもよいし、図１７に示すように画素基板２に積層された絶縁層２５上に形成されてもよい。図１７に示す構成の場合、第２タッチ検出電極ＳＴＤＬと指との間にカバー部材５が介在しないので、第２タッチ検出の感度をより高めやすくなる。また、第２タッチ検出電極ＳＴＤＬは、第１タッチ検出電極ＴＤＬと同一の層に形成されていてもよく、画素基板配線部３１０と交差するように配置されればその他の層に形成されても良い。また、図１４等で図示されている第２タッチ検出部６０は、図３等を参照して説明したタッチ検出の基本原理との関係を分かりやすくする目的でタッチ検出信号増幅部６２に含まれる積分回路を図示しているが、実際の第２タッチ検出部６０の構成は、図８を参照して説明した通りである。
【００６８】
以上、本実施形態によれば、第２タッチ検出電極ＳＴＤＬが、画素信号線ＳＧＬと電気的に接続された配線であって表示領域１０１ａ外に延出している配線を有する表示領域外配線部３００との間に静電容量を形成し、当該静電容量に基づいて第２タッチ検出部６０が第２タッチ検出を行う。これによって、表示装置が有する配線である画素信号線ＳＧＬに画素信号Ｖｐｉｘを表示装置の外部から入力するための配線として必然的に設けられた配線を有する表示領域外配線部３００を第２タッチ検出に係る構成として利用することができる。従って、表示装置とタッチ検出に係る構成とで構成を共有することができることから、タッチ検出機能付き表示装置１の構成部品数をより少なくすることが容易になる。また、第２タッチ検出に係る構成を表示装置と一体的に設けることができることから、タッチ検出機能付き表示装置１をより薄くすることが容易になる。
【００６９】
また、表示部と表示領域外配線部３００との間の接続と切断とを切り替える切替回路１５０を備えることで、駆動用信号が伝送される範囲から画素信号線ＳＧＬが除かれ、駆動用信号が伝送される配線長がより短くなる。よって、画素基板配線部３１０を駆動信号ＳＣＯＭＬとして機能させるための駆動用信号の電位がより小さく済む。
【００７０】
また、静電容量は、画像信号Ｖｐｉｘを出力する回路（例えば、ＤＤＩＣ８０）がタッチ検出に際して画素信号線ＳＧＬに出力する信号（駆動用信号）の出力時に形成されるので、画素信号を出力する構成とタッチ検出に際して用いられる駆動用信号を出力する構成とを共通化することができる。
【００７１】
また、表示領域１０１ａへのタッチ操作を検出するタッチパネル３０を備えるので、表示領域１０１ａ内のタッチ検出と表示領域１０１ａ外のタッチ検出の両方を行うことができる。
【００７２】
以下、本発明の変形例及び他の実施形態について説明する。変形例及び他の実施形態は、特筆する事項を除いて実施形態１と同様の構成である。
【００７３】
（変形例）
図１８は、本発明に係る実施形態の変形例を示す図である。表示領域外配線部３００の具体的形態は、図１４で例示した実施形態に限らず、適宜変更可能である。例えば、図１８に示すように、表示領域外配線部３００Ａの配線の延設方向は、画素基板２上に形成された他の構成に応じた方向であってよい。具体的には、変形例では、シフトレジスタ１３０Ａが切替回路１５０よりも表示領域外寄りに配置されている。このため、変形例では、延出部３２１の配線がシフトレジスタ１３０Ａの実装位置をよけるように延設されている。なお、シフトレジスタ１３０Ａは、画素基板配線部３１０と異なる層に形成された中継配線を介してスイッチ回路１１０と接続されている。
【００７４】
（実施形態２）
図１９は、本発明の実施形態２における画素基板２に形成又は接続されている構成のうちタッチ検出に係る構成と、第２タッチ検出電極ＳＴＤＬ２との関係を示す模式図である。実施形態２では、第１タッチ検出部４０と第２タッチ検出部６０が１つの回路（統合回路５０）に統合されている。これによって、第１タッチ検出によるタッチ検出結果と第２タッチ検出によるタッチ検出結果との相互利用がより容易になる。
【００７５】
具体的には、例えば指紋検出実施信号Ｖｔｏｕｃｈに応じて第２タッチ検出を行うに際して、統合回路５０は、当該第２タッチ検出に先立ち、まず第１タッチ検出部４０の機能を用いて第１タッチ検出を行う。当該第１タッチ検出でヒトの指によるタッチ操作が検出された場合、統合回路５０は、第２タッチ検出部６０の機能を用いて第２タッチ検出を行う。
【００７６】
より具体的には、統合回路５０は、例えば駆動信号ＥｘＶＣＯＭをＤＤＩＣ８０に出力する。駆動信号ＥｘＶＣＯＭは、例えば、タッチ検出の実施タイミング及び実施されるタッチ検出が第１タッチ検出であるか第２タッチ検出であるかを示す信号である。また、駆動信号ＥｘＶＣＯＭの出力とともに、統合回路５０は、第２タッチ検出に際して駆動用信号を出力する対象とする表示領域外配線部３００の配線を示す情報をＤＤＩＣ８０に出力する。当該情報は、例えば駆動信号ＥｘＶＣＯＭが含む情報であってもよいし、独立した信号が示す情報であってもよい。ここで、駆動用信号を出力する対象とする表示領域外配線部３００の配線とは、例えば第２タッチ検出電極ＳＴＤＬ２がカバーする範囲に設けられている配線であって、第２タッチ検出に先立って実施された第１タッチ検出で特定された指のＸ方向の位置に応じた位置に設けられている配線である。
【００７７】
指紋検出実施信号Ｖｔｏｕｃｈに応じて、統合回路５０は、第１タッチ検出を実施することを示す駆動信号ＥｘＶＣＯＭをＤＤＩＣ８０に出力する。ＤＤＩＣ８０は、駆動信号ＥｘＶＣＯＭに基づいて駆動電極ドライバ１４を動作させ、駆動電極ＣＯＭＬに対する駆動信号Ｖｃｏｍの出力を行わせる。統合回路５０は、第１タッチ検出部４０による第１タッチ検出を実施する。その後、統合回路５０は、第１タッチ検出の検出結果が示す指の位置のうちＸ方向の位置に基づいて、駆動用信号を出力する対象とする表示領域外配線部３００の配線を示す情報をＤＤＩＣ８０に出力する。ＤＤＩＣ８０は、表示領域外配線部３００の配線のうち、駆動用信号を出力する対象とされた配線に駆動用信号を出力する。第２タッチ検出部６０は、当該情報が示す表示領域外配線部３００の配線に駆動用信号が出力されていることを前提とした第２タッチ検出を実施する。これによって、第２タッチ検出を行う位置を第１タッチ検出によって得られた指の位置に追従させることができる。
【００７８】
図２０は、第１タッチ検出後に第２タッチ検出を行う場合の処理の流れの一例を示すフローチャートである。統合回路５０は、第１タッチ検出を実施し（ステップＳ１１）、ステップＳ１１の処理による第１タッチ検出で得られる指の位置のうちＸ方向の位置を示す情報を取得する（ステップＳ１２）。統合回路５０は、ステップＳ１２で得られたＸ方向の位置に応じた位置に設けられている表示領域外配線部３００の配線に駆動用信号を出力し、Ｘ方向の位置に応じた位置で第２タッチ検出を行う（ステップＳ１３）。
【００７９】
なお、図１９では、第１タッチ検出で特定された指のＸ方向の位置に応じた第２タッチ検出をより実施しやすくする構成を示唆する目的で、図１４に示す第２タッチ検出電極ＳＴＤＬよりも長手方向の幅が大きい第２タッチ検出電極ＳＴＤＬ２を図示しているが、各実施形態における第２タッチ検出電極の幅は任意である。また、実施形態２においても、表示領域外配線部３００が有する配線のうち、第２タッチ検出電極ＳＴＤＬがカバーしている範囲に設けられている全ての配線に対する駆動用信号の出力を行ってもよい。
【００８０】
実施形態２では、タッチ検出の実施タイミングは、表示パネル２０における表示出力のタイミングと交互である。具体的には、例えば、フレーム単位での表示出力に際してＤＤＩＣ８０から出力される同期信号（ＶＤ／ＨＤ）が統合回路５０に伝送される。なお、ＶＤは表示パネル２０の垂直方向の駆動に係る同期を示す信号（垂直同期信号）をさし、ＨＤは表示パネル２０の水平方向の駆動に係る同期を示す信号（水平同期信号）をさす。統合回路５０は、当該同期信号から求められるフレーム単位での表示出力の完了タイミングに応じて第１タッチ検出部４０を動作させ、駆動信号ＥｘＶＣＯＭを出力する。ＤＤＩＣ８０は、駆動信号ＥｘＶＣＯＭに基づいて駆動電極ドライバ１４を動作させ、駆動電極ＣＯＭＬに対する駆動信号Ｖｃｏｍの出力を行わせる。これによって、表示出力の完了後のタイミングで第１タッチ検出が実施される。
【００８１】
ＤＤＩＣ８０は、駆動信号ＥｘＶＣＯＭから求められるタッチ検出の完了タイミングに応じて次のフレーム単位での表示出力を行う。その後、統合回路５０はさらに第１タッチ検出を実施してもよいし、直前の第１タッチ検出で特定された指の位置に応じた第２タッチ検出を実施してもよい。係る表示出力のタイミングとタッチ検出の実施タイミングとの関係は、実施形態１等、他の実施形態及び変形例でも同様であってよい。
【００８２】
（実施形態３）
図２１は、符号分割選択方式における駆動の一例を説明する説明図である。上記で説明した実施形態１等では、駆動電極ＣＯＭＬが個別に駆動される場合を例示したが、駆動電極ＣＯＭＬの駆動方式は、これに限られない。具体的には、例えば図２１に示すように、タッチ検出機能付き表示装置１は、駆動電極ドライバ１４が、選択駆動電極ブロックＢｋｎの複数（図２１の例では、４つ）の駆動電極ブロックＴｘ１，Ｔｘ２，Ｔｘ３，Ｔｘ４を同時選択して所定の符号に基づいて位相が決められた駆動信号Ｖｃｏｍを供給する。図２１では、駆動電極ブロックＴｘ１，Ｔｘ２，Ｔｘ３，Ｔｘ４の右側に図示された波形が駆動信号Ｖｃｏｍの位相の一例を示している。例えば、所定の符号は、下記の式（１）の正方行列で定義される。式（１）における正方行列の次数は、選択駆動電極ブロックＢｋｎの駆動電極ブロックＴｘ１，Ｔｘ２，Ｔｘ３，Ｔｘ４の数である４になる。式（１）の正方行列の対角成分「−１」は、当該正方行列の対角成分以外の成分「１」と異なる。符号「−１」は、「１」の符号（正符号）とは位相が異なるように決められた駆動信号Ｖｃｏｍを供給する符号（逆符号）である。駆動電極ドライバ１４等は、式（１）の正方行列に基づいて、正方行列の対角成分以外の成分「１」に対応する上述した交流矩形波Ｓｇの位相と、正方行列の対角成分「−１」に対応する上述した交流矩形波Ｓｇの位相とが反転するように、駆動信号Ｖｃｏｍを伝送する。駆動電極ブロックＴｘ１，Ｔｘ２，Ｔｘ３，Ｔｘ４は、それぞれ所定数の駆動電極ＣＯＭＬである。
【００８３】
【数１】
0006562863.tif 000002
【００８４】
実施形態３では、上記で例示した選択駆動電極ブロックＢｋｎのように複数の駆動電極ブロックＴｘ１，Ｔｘ２，Ｔｘ３，Ｔｘ４を同時に駆動し、符号分割選択（ＣＤＭ：Code  Division  Multiplex）方式で検出を行う。
【００８５】
例えば、選択駆動電極ブロックＢｋｎの駆動電極ブロックＴｘ１，Ｔｘ２，Ｔｘ３，Ｔｘ４の走査上流から２番目の位置である駆動電極ブロックＴｘ２に、指などの外部近接物体ＣＱがある場合、相互誘導により外部近接物体ＣＱによる差分の電圧が生じる（例えば差分の電圧は２０％とする）。係る例では、第２タッチ検出部６０が最初のタイミング（第１時間帯）に検出する第２タッチ検出信号Ｖｄｅｔ２（Sensor  Output  Signal）は、（−１）＋（０．８）＋（１）＋（１）＝１．８になる。この「１．８」は、符号「１」の駆動信号Ｖｃｏｍの信号強度を基準とした信号強度である。また、第２タッチ検出部６０が第１時間帯の次のタイミング（第２時間帯）に検出する第２タッチ検出信号Ｖｄｅｔ２は、（１）＋（−０．８）＋（１）＋（１）＝２．２になる。また、第２タッチ検出部６０が第２時間帯の次のタイミング（第３時間帯）に検出する第２タッチ検出信号Ｖｄｅｔ２は、（１）＋（０．８）＋（−１）＋（１）＝１．８になる。また、第２タッチ検出部６０が第３時間帯の次のタイミング（第４時間帯）に検出する第２タッチ検出信号Ｖｄｅｔ２は、（１）＋（０．８）＋（１）＋（−１）＝１．８になる。
【００８６】
実施形態３における座標抽出部６５は、信号処理部６４において検出された第２タッチ検出信号Ｖｄｅｔ２（Sensor  Output  Signal）を式（１）の正方行列で掛け合わせる。選択駆動電極ブロックＢｋｎの駆動電極ブロックＴｘ２の位置に指などの外部近接物体ＣＱがあることを、駆動信号Ｖｃｏｍとして出力される信号の電圧を上げることなく時分割選択（ＴＤＭ）駆動よりも高い精度（例えば、４倍）の検出感度で検出する。
【００８７】
図２１を参照した例では、便宜上４つの駆動電極ブロックＴｘ１，Ｔｘ２，Ｔｘ３，Ｔｘ４を用いたＣＤＭ方式について説明したが、ＣＤＭ方式で同時に駆動する駆動電極ブロックの数は任意である。また、ＣＤＭ方式は、第１タッチ検出及び第２タッチ検出の両方に適用可能である。
【００８８】
図２２は、ＣＤＭ方式における駆動信号ＥｘＶＣＯＭと複数の対象に出力される駆動信号との関係の一例を示すタイミングチャートである。図２２では、ＣＤＭ方式で駆動される対象（駆動電極ＣＯＭＬ又は表示領域外配線部３００の配線）を、並び方向に沿って、Ｖｉｄｅｏ＜ｎ＞，Ｖｉｄｅｏ＜ｎ＋１＞，Ｖｉｄｅｏ＜ｎ＋２＞，Ｖｉｄｅｏ＜ｎ＋３＞，…のように示している。
【００８９】
ＣＤＭ方式では、正符号を示すように駆動される駆動電極ＣＯＭＬ（又は配線）には駆動信号ＥｘＶＣＯＭと同じ位相で駆動信号Ｖｃｏｍ（又は駆動用信号）が出力される。一方、逆符号を示すように駆動される駆動電極ＣＯＭＬ（又は配線）には駆動信号ＥｘＶＣＯＭと逆の位相で駆動信号Ｖｃｏｍ（又は駆動用信号）が出力される。図２２では、表示出力と交互に実施されるタッチ検出の各々で逆符号を示すように駆動される対象が、Ｖｉｄｅｏ＜ｎ＞，Ｖｉｄｅｏ＜ｎ＋１＞，Ｖｉｄｅｏ＜ｎ＋２＞，Ｖｉｄｅｏ＜ｎ＋３＞，…の順で遷移し、それ以外の対象が正符号を示すように駆動される例を示している。なお、同一タイミングで逆符号を示すように駆動される対象の数は１つに限られない。
【００９０】
図２３は、ＣＤＭ方式において同一タイミングで正符号が付される対象と逆符号が付される対象との関係の一例を示す表である。図２３では、タッチ検出に際して同一タイミングに駆動される対象（駆動電極ＣＯＭＬ又は表示領域外配線部３００の配線）の数が６４である場合を例示しているが、これはあくまで一例であってこれに限られるものでない。図２３を参照した説明では、「時間」欄に記載されている番号（ｔ：１〜１２）のタイミングにおけるタッチ検出の実施タイミングを「実施タイミング（ｔ）」と記載している。
【００９１】
例えば、最初の実施タイミング（１）で全ての対象（１〜６４）が正符号を示すように駆動される。次の実施タイミング（２）で、上流側の半分の対象（１〜３２）が正符号を示すように駆動されるとともに、下流側の半分の対象（３３〜６４）が逆符号を示すように駆動される。その後の実施タイミング（３）で駆動される対象は、上流側から対象の総数を１／４単位で区切ったグループ（１〜１６，１７〜３２，３３〜４８，４９〜６４）単位で正符号と逆符号を個別に切り替えるように駆動される。具体的には、対象（１〜１６，３３〜４８）が正符号を示すように駆動されるとともに、対象（１７〜３２，４９〜６４）が逆符号を示すように駆動される。その後の実施タイミング（４）で駆動される対象は、最も下流側に位置するグループと、そのグループの上流側に位置するグループとの符号の正逆関係を直前の実施タイミング（３）と逆転するように駆動される。具体的には、対象（１〜１６，４９〜６４）が正符号を示すように駆動されるとともに、対象（１７〜４８）が逆符号を示すように駆動される。ここで、対象（１７〜４８）は、対象（１７〜３２）と対称（３３〜４８）とを合わせた対象である。
【００９２】
その後の実施タイミング（５）で駆動される対象は、上流側から対象の総数を１／８単位で区切ったグループ（１〜８，９〜１６，１７〜２４，２５〜３２，３３〜４０，４１〜４８，４９〜５６，５７〜６４）単位で正符号と逆符号を個別に切り替えるように駆動される。具体的には、対象（１〜８，１７〜２４，３３〜４０，４９〜５６）が正符号を示すように駆動されるとともに、対象（９〜１６，２５〜３２，４１〜４８，５７〜６４）が逆符号を示すように駆動される。その後の実施タイミング（６）で駆動される対象は、最も下流側に位置するグループと、そのグループの上流側に位置するグループとの符号の正逆関係を直前の実施タイミング（５）と逆転するように駆動される。具体的には、対象（１〜８，１７〜２４，４１〜４８，５７〜６４）が正符号を示すように駆動されるとともに、対象（９〜１６，２５〜４０，４９〜５６）が逆符号を示すように駆動される。
【００９３】
その後の実施タイミング（７）で駆動される対象は、前回の実施タイミングで入れ替え対象とされた２つのグループのうち上流側に位置するグループと、そのグループのさらに上流側に位置するグループとの符号の正逆関係を直前の実施タイミング（６）と逆転するように駆動される。具体的には、対象（１〜８，２５〜４０，５７〜６４）が正符号を示すように駆動されるとともに、対象（９〜２４，４１〜５６）が逆符号を示すように駆動される。
【００９４】
その後の実施タイミング（８）で駆動される対象は、最も下流側に位置するグループと、そのグループの上流側に位置するグループとの符号の正逆関係を直前の実施タイミング（７）と逆転するように駆動される。具体的には、対象（１〜８，２５〜３２，４１〜５６）が正符号を示すように駆動されるとともに、対象（９〜２４，３３〜４０，５７〜６４）が逆符号を示すように駆動される。
【００９５】
このように、ＣＤＭ方式では、例えば、実施の継続に応じて、符号の正逆を切り替える単位となるグループを構成する対象の数をより小さくするとともに最も上流側に位置する対象のグループを一方の符号で固定し、その他のグループの正負を下流側から優先して順に入れ替えるように符号の正逆のパターンを切り替えるようにすることができる。実施タイミング（９）〜（１２）では、対象の総数を１／１６単位で区切ったグループ単位で正符号と逆符号を個別に切り替えている。図示していないが、実施タイミング（１３）以降についても、同様の仕組みでグループ分け及び符号の切替を行うことができる。図２３では、最も上流側のグループを正符号で固定しているが、逆符号で固定してもよい。また、図２３に示すような正符号が付される対象と逆符号が付される対象との関係は、逆転していてもよい。
【００９６】
以上、実施形態３によれば、第２モードでのタッチ検出の感度がより高まる。特に、第２タッチ検出では、第１タッチ検出に比して駆動される対象の並設ピッチがより細かいものになりやすいことから、１つの対象に対する駆動信号Ｖｃｏｍに応じて生じる静電容量に基づいた変化の度合い、すなわち、タッチ操作の有無に応じた静電容量の変化の度合いはより小さくなりやすい。このため、第２タッチ検出では、タッチ検出の感度の確保の難易度がより高まっている。係る条件下では特に第２タッチ検出にＣＤＭ方式を採用することで、十分な感度の確保がより容易になる。
【００９７】
以上、本発明の好適な実施形態及び変形例（実施形態等）を説明したが、本発明はこのような実施形態等に限定されるものではない。実施形態等で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【００９８】
図２４は、第１タッチ検出に係る構成を有しない表示装置であって、第２タッチ検出に係る構成を有する表示装置の構成の一例を示す模式図である。第１タッチ検出に係る構成、すなわち、表示領域１０１ａにおけるタッチ検出に係る構成は省略可能である。表示領域１０１ａにおけるタッチ検出に係る構成が省略されている場合、図２４に示すように、上記の実施形態等において設けられていた駆動電極ＣＯＭＬは、表示領域内で全面的に連続する膜状又は板状の電極ＢＣＯＭＬに置換される。また、第１タッチ検出に際して用いられていた駆動電極ドライバ１４の構成も省略される。具体的には、スイッチ回路１１０、シフトレジスタ１３０及び電位線ＴＳＶＣＯＭは省略される。電極ＢＣＯＭＬは、例えば、電位線ＴＰＬと電気的に接続された定電位電極として設けられる。
【００９９】
図２５は、切替回路１５０が省略された構成の一例を示す模式図である。第２タッチ検出に際して、切替回路１５０による表示領域外配線部３００と画素信号線ＳＧＬとの切断は必須でない。図２５に示すように、切替回路１５０は省略可能である。この場合、第２タッチ検出に係る駆動用信号を表示領域外配線部３００に出力するタイミングでは走査信号Ｖｓｃａｎは出力されず、全ての水平ラインが非選択（ＯＦＦ）の状態となる。
【０１００】
図２６は、第２タッチ検出による検出領域を複数のタッチ検出領域Ｂ１，Ｂ２，Ｂ３として区別して扱う場合の一例を示す模式図である。図２７は、図２６に示す複数のタッチ検出領域Ｂ１，Ｂ２，Ｂ３を個別の入力部として利用した電子機器４００の一例を示す模式図である。図２６に示すように、第２タッチ検出による検出領域を複数のタッチ検出領域Ｂ１，Ｂ２，Ｂ３に区切り、各タッチ検出領域Ｂ１，Ｂ２，Ｂ３におけるタッチ検出結果を個別に扱うようにしてもよい。この場合、例えば図２７に示すように、複数のタッチ検出領域Ｂ１，Ｂ２，Ｂ３にそれぞれ個別の入力部（例えば、ボタン配置エリアＴＰＢにおけるボタン等）を設けることで、第２タッチ検出部６０により検出されるタッチ検出結果を各入力部に対する入力操作の有無の検出に用いることができる。
【０１０１】
なお、図２６では、第２タッチ検出による検出領域をより大きく示す目的で、図１４に示す第２タッチ検出電極ＳＴＤＬ等よりも長手方向の幅が大きい第２タッチ検出電極ＳＴＤＬ３を図示しているが、実施形態２に係る説明で述べたように、第２タッチ検出電極の幅は任意である。また、第２タッチ検出による検出領域を区切ることによる複数のタッチ検出領域の数は、適宜変更可能である。
【０１０２】
また、第１タッチ検出と第２タッチ検出は、例えば実施形態２で説明したようにそれぞれ異なるタイミングに行われてもよいし、実施形態２で説明した例に限られず、並行して行われてもよい。
【０１０３】
また、実施形態等における駆動電極ＣＯＭＬの数、第１タッチ検出電極ＴＤＬの数、第２タッチ検出電極ＳＴＬＤの数等、例示及び図示した数的事項はあくまで一例であり、適宜変更可能である。
【符号の説明】
【０１０４】
１  タッチ検出機能付き表示装置
２  画素基板
３  対向基板
５  カバー部材
６  液晶層
１０  タッチ検出機能付き表示部
１１  制御部
１２  ゲートドライバ
１３  ソースドライバ
１４  駆動電極ドライバ
２０  表示パネル
２１  ＴＦＴ基板
２２  画素電極
３０  タッチパネル
３１  ガラス基板
３２  カラーフィルタ
４０  第１タッチ検出部
４２、６２  タッチ検出信号増幅部
４３、６３  Ａ／Ｄ変換部
４４、６４  信号処理部
４５、６５  座標抽出部
４６、６６  検出タイミング制御部
５０  統合回路
６０  第２タッチ検出部
６７  合成部
７０  ＦＰＣ
８０  ＤＤＩＣ
１０１ａ  表示領域
１０１ｂ  額縁領域
１１０  スイッチ回路
１３０，１３０Ａ  シフトレジスタ
１５０  切替回路
３００  表示領域外配線部
３１０  画素基板配線部
３２０，３２１  延出部
４００  電子機器
Ｂ１，Ｂ２，Ｂ３  タッチ検出領域
ＢＣＯＭＬ  電極
ＣＯＭＬ  駆動電極
ＧＣＬ  走査信号線
Ｐｉｘ  単位画素
ＳＧＬ  画素信号線
ＳＰｉｘ  副画素
ＳＴＤＬ，ＳＴＤＬ２，ＳＴＤＬ３  第２タッチ検出電極
ＴＤＬ  第１タッチ検出電極
ＴＳＶＣＯＭ  電位線
ＴＰＢ  ボタン配置エリア
ＴＰＬ  電位線
Ｖｃｏｍ  駆動信号
Ｖｄｅｔ１  第１タッチ検出信号
Ｖｄｅｔ２  第２タッチ検出信号
Ｖｄｉｓｐ  映像信号
Ｖｐｉｘ  画素信号
Ｖｓｃａｎ  走査信号
Ｖｔｏｕｃｈ  指紋検出実施信号
【図１】
0006562863.tif 000003
【図２】
0006562863.tif 000004
【図３】
0006562863.tif 000005
【図４】
0006562863.tif 000006
【図５】
0006562863.tif 000007
【図６】
0006562863.tif 000008
【図７】
0006562863.tif 000009
【図８】
0006562863.tif 000010
【図９】
0006562863.tif 000011
【図１０】
0006562863.tif 000012
【図１１】
0006562863.tif 000013
【図１２】
0006562863.tif 000014
【図１３】
0006562863.tif 000015
【図１４】
0006562863.tif 000016
【図１５】
0006562863.tif 000017
【図１６】
0006562863.tif 000018
【図１７】
0006562863.tif 000019
【図１８】
0006562863.tif 000020
【図１９】
0006562863.tif 000021
【図２０】
0006562863.tif 000022
【図２１】
0006562863.tif 000023
【図２２】
0006562863.tif 000024
【図２３】
0006562863.tif 000025
【図２４】
0006562863.tif 000026
【図２５】
0006562863.tif 000027
【図２６】
0006562863.tif 000028
【図２７】
0006562863.tif 000029